(57)【要約】【課題】選択されたチャンネルに対する選局動作において、外部機器との連動を可能にする放送信号受信装置を提供する。【解決手段】テレビジョン受信機１は、リモコン４からの選局指示信号を受信する受光部１ｈと、指示されたチャンネルが選局できない場合に、指示されたチャンネルが選局可能か否かの確認をレコーダ１０１に対して行い、レコーダ１０１が指示されたチャンネルを選局可能であるとき、レコーダ１０１に対して指示されたチャンネルを選局させる選局の指示を行ってレコーダ１０１が選局して受信した放送信号を入力するように制御する制御部２４と、を有する。【選択図】図２
2008166869.tif 000002
【特許請求の範囲】
【請求項１】
放送信号を受信可能な外部機器と接続可能な放送信号受信装置であって、
選局指示信号を受信する選局指示受信部と、
前記選局指示信号により指示されたチャンネルが選局できない場合に、前記指示されたチャンネルが選局可能か否かの確認を前記外部機器に対して行い、前記外部機器が前記指示されたチャンネルを選局可能であるとき、前記外部機器に対して前記指示されたチャンネルを選局させる選局の指示を行って前記外部機器が選局して受信した放送信号を入力するように制御する制御部と、
を有することを特徴とする放送信号受信装置。
【請求項２】
前記確認は、前記外部機器から前記外部機器の選局可能なチャンネル情報を取得することによって行うことを特徴とする請求項１に記載の放送信号受信装置。
【請求項３】
前記指示されたチャンネルが選局できない場合は、前記指示されたチャンネル以外のチャンネルを選局しているために、前記指示されたチャンネルが選局できない場合であることを特徴とする請求項１又は２に記載の放送信号受信装置。
【請求項４】
前記指示されたチャンネルが選局できない場合は、前記指示されたチャンネルが受信契約のされていないチャンネルである場合であり、
前記外部機器は、前記指示されたチャンネルについて受信契約がされていることを特徴とする請求項１又は２に記載の放送信号受信装置。
【請求項５】
前記指示されたチャンネルが選局できない場合は、前記放送信号受信装置がアナログ放送のみが受信可能であって、前記指示されたチャンネルがデジタル放送のチャンネルである場合であり、
前記外部機器は、前記デジタル放送が受信可能であることを特徴とする請求項１又は２に記載の放送信号受信装置。
【請求項６】
前記制御部は、前記外部機器に対して前記外部機器の電源状態を問い合わせ、前記外部機器の電源状態がオフ状態の場合は、前記選局の指示を行う前に、前記外部機器の電源をオンにするオン指示信号を出力することを特徴とする請求項１から５のいずれか１つに記載の放送信号受信装置。
【請求項７】
前記制御部は、前記オン指示信号を出力した後に受信した前記指示されたチャンネルが選局できる場合は、前記外部機器の電源をオフにするオフ指示信号を出力することを特徴とする請求項６に記載の放送信号受信装置。
【請求項８】
前記制御部は、前記指示されたチャンネルが選局できない場合であって、かつ前記外部機器も前記指示されたチャンネルを選局ができない場合は、エラー表示を行う表示出力を行うことを特徴とする請求項１から７のいずれか１つに記載の放送信号受信装置。
【請求項９】
それぞれが放送信号を受信可能な複数の外部機器と接続可能な放送信号受信装置であって、
選局指示信号を受信する選局指示受信部と、
前記選局指示信号により指示されたチャンネルが選局できない場合に、前記指示されたチャンネルが選局可能か否かの確認を、前記複数の外部機器の中の予め設定された前記外部機器に対して行い、前記予め設定された外部機器が前記指示されたチャンネルを選局可能であるとき、前記予め設定された外部機器に対して前記指示されたチャンネルを選局させる選局の指示を行って前記予め設定された外部機器が選局して受信した放送信号を入力するように制御する制御部と、
を有することを特徴とする放送信号受信装置。
【請求項１０】
それぞれが放送信号を受信可能な複数の外部機器と接続可能な放送信号受信装置であって、
選局指示信号を受信する選局指示受信部と、
前記選局指示信号により指示されたチャンネルが選局できない場合に、前記指示されたチャンネルが選局可能か否かの確認を、前記複数の外部機器に対して行い、前記複数の外部機器の中に、前記指示されたチャンネルを選局可能な外部機器があるとき、該選局可能な外部機器に対して前記指示されたチャンネルを選局させる選局の指示を行って前記選局可能な外部機器が選局して受信した放送信号を入力するように制御する制御部と、
を有することを特徴とする放送信号受信装置。
【発明の詳細な説明】
【技術分野】
【０００１】
本発明は、テレビジョン受信機等の放送信号受信装置に関する。
【背景技術】
【０００２】
従来より、テレビジョン受信機のチューナでは受信できない放送を受信出来るようにするために、テレビジョン受信機に外部機器を接続して、その放送を受信できるようにする装置がある。  
例えば、テレビジョン受信機にMUSEデコーダを接続し、MUSE放送を受信できるようにする選局装置が提案されている（例えば、特許文献１参照）。
【０００３】
その提案に係る選局装置には、ユーザの選択するチャンネルに応じて、内蔵のチューナからの信号とMUSEデコーダからの信号のいずれかを選択するかを予め記憶するメモリ回路が設けられている。その選局装置によれば、MUSE放送を受信するときに、ユーザは、MUSEデコーダへの入力切り換え操作をすることなく、チャンネルを選択するだけで、MUSE放送を視聴することができる。
【特許文献１】特開平１５−９１４３０号公報
【発明の開示】
【発明が解決しようとする課題】
【０００４】
しかし、例えば、ユーザの選択したチャンネルがテレビジョン受信機のチューナで選局可能であっても、そのチューナが他のチャンネルの録画用に設定されて使用されている場合、そのチューナは、そのユーザの選択したチャンネルの放送を受信のために使用することはできない。
【０００５】
すなわち、上述した選局装置では、チャンネル毎に、使用するテレビジョン受信機と外部機器が、予め固定されているため、テレビジョン受信機で選局不可能なときに、外部機器に切り換えて外部機器で選局するという連動はされていなかった。
【０００６】
本発明は、このような課題に鑑みて成されたものであり、選択されたチャンネルに対する選局動作において、外部機器との連動を可能にする放送信号受信装置を提供することを目的とする。
【課題を解決するための手段】
【０００７】
本発明の一態様によれば、放送信号を受信可能な外部機器と接続可能な放送信号受信装置であって、選局指示信号を受信する選局指示受信部と、前記選局指示信号により指示されたチャンネルが選局できない場合に、前記指示されたチャンネルが選局可能か否かの確認を前記外部機器に対して行い、前記外部機器が前記指示されたチャンネルを選局可能であるとき、前記外部機器に対して前記指示されたチャンネルを選局させる選局の指示を行って前記外部機器が選局して受信した放送信号を入力するように制御する制御部と、を有する放送信号受信装置を提供することができる。
【発明の効果】
【０００８】
本発明によれば、選択されたチャンネルに対する選局動作において、外部機器との連動を可能にする放送信号受信装置を実現することができる。
【発明を実施するための最良の形態】
【０００９】
以下、図面を参照して本発明の実施の形態を説明する。  
（第１の実施の形態）
（構成）
まず、本発明の第１の実施の形態に係わるテレビジョン受信機の構成を説明する。図１は、本実施の形態に係わるテレビジョン受信機の構成を示す構成図である。
【００１０】
図１において、放送信号受信装置としてのテレビジョン受信機１は、BS放送及びCS放送受信用のアンテナ２を接続するためのアンテナ端子１ａと、地上波デジタル放送及びアナログ放送受信用のアンテナ３を接続するためのアンテナ端子１ｂと、外部からのアナログ信号を入力するための外部入力端子１ｃと、LAN（ローカルエリアネットワーク）に接続するためのLAN端子１ｄと、USB接続用のUSB端子１ｅと、i-LINK接続用のi-LINK端子１ｆと、HDMI接続用のHDMI端子１ｇと、リモートコントローラ（以下、リモコンと略す）４からのコマンド信号を受信するための受光部１ｈと、B-CASカード５を装着するためのカードホルダ１ｉとを有する。
【００１１】
ユーザは、例えば、リモコン４を操作して、視聴したい番組のチャンネルを選択することができる。リモコン４からは、ユーザの選択したチャンネルに対応したコマンド信号、すなわち選局指示信号が、赤外線信号等の信号の形態で出力され、受光部１ｈを介して、制御部２４に入力される。テレビジョン受信機１は、そのコマンド信号に応じて、選択された番組に対応するチャンネルを選局する。
【００１２】
テレビジョン受信機１は、アンテナ端子１ａに接続されたBS/CSチューナ１１と、それぞれがアンテナ端子１ｂに接続された地上波デジタルチューナ１２及びアナログチューナ１３と、BS/CSチューナ１１に接続されたPSK復調器１４と、地上波デジタルチューナ１２に接続されたOFDM復調器１５と、アナログチューナ１３に接続されたアナログ復調器１６と、PSK復調器１４、OFDM復調器１５及びアナログ復調器１６からの信号が入力される信号処理部１７を含む。
【００１３】
テレビジョン受信機１は、さらに、信号処理部１７からの音声データ信号が入力される音声処理部１８と、音声処理部１８からの音声信号が入力されるスピーカ１９と、OSD（オン・スクリーン・ディスプレイ）信号生成部２０と、信号処理部１７及びOSD信号生成部２０からの画像データ信号が入力されるグラフィック処理部２１と、グラフィック処理部２１からの画像データ信号が入力される映像処理部２２と、映像処理部２２に接続された、液晶表示装置（LCD）等の映像表示部２３とを含む。選局されて受信したチャンネルの番組は、映像表示部２３に表示され、ユーザは視聴することができる。
【００１４】
テレビジョン受像機１は、さらに、CPU等を含む制御部２４と、ユーザの操作用のパネルである操作部２５と、カードホルダ１ｉに接続されたカードインターフェース（以下、I/Fと略す）２６と、LAN端子１ｄに接続された通信I/F２７と、USB端子１ｅに接続されたUSB  I/F２８と、i-LINK端子１ｆに接続されたi-LINK  I/F２９と、HDMI端子１ｇに接続されたHDMI  I/F３０とを含む。  
制御部２４は、操作部２５、カードI/F２６、通信I/F２７、USB  I/F２８、i-LINK  I/F２９、及びHDMI  I/F３０に接続されている。さらに、制御部２４は、CPU２４ａと、後述する処理用のソフトウエアプログラムを記憶するためのROM２４ｂと、処理作業用のRAM２４ｃと、フラッシュメモリ等の不揮発性メモリ２４ｄを有する。制御部２４は、BS/CSチューナ１１、地上波デジタルチューナ１２、アナログチューナ１３、PSK復調器１４、OFDM復調器１５、アナログ復調器１６、信号処理部１７、アナログ復調器２０、及び映像処理部２２に接続されている。
【００１５】
また、信号処理部１７には、外部入力端子１ｃを介して、RGB信号等の外部信号が入力可能となっている。
【００１６】
全体には、ユーザがリモコン４を操作して視聴を希望するチャンネルを選択すると、選択されたチャンネルに対応するチューナが、BS/CSチューナ１１，地上波デジタルチューナ１２及びアナログチューナ１３の中から選択されて、対応する復調器が、PSK復調器１４、OFDM復調器１５及びアナログ復調器１６の中から選択される。復調された信号は、信号処理部１７で処理されて、音声データ信号と画像データ信号を出力する。音声処理部１８は、スピーカ１９に音声信号を出力して、スピーカ１９から音声が出力される。グラフィック処理部２１は、画像データ信号と、OSD信号生成部２０からの表示データ信号とを入力して、合成した信号を映像処理部２２に出力する。映像処理部２２は、映像表示部２３に映像信号を出力して、映像表示部２３は、ユーザの選択したチャンネルのコンテンツの映像を表示する。
【００１７】
各チューナ、各復調器、信号処理部１７、音声処理部１８、OSD信号生成部２０及び映像処理部２２は、制御部２４からの各種制御信号によって選択、起動等が制御されて動作する。制御部２４は、カードI/F２６を介して、カードホルダ１ｉに装着されたB-CASカード５の情報を読み出す。また、制御部２４は、LAN端子１ｄと、USB端子１ｅと、i-LINK端子１ｆと、HDMI端子１ｇとにそれぞれ接続された対応ケーブルを介して、外部機器と情報の送受信及び制御信号の出力が可能である。ここでは、HDMI端子１ｇには、チューナ付きのレコーダ１０１が接続可能となっている。レコーダ１０１は、例えば、チューナ付きのハードディスク内蔵レコーダである。
【００１８】
外部機器としてのレコーダ１０１は、ここでは、BS/CSチューナ１１１，地上波デジタルチューナ１１２及びアナログチューナ１１３を有しており、各チューナで受信した番組の画像データを、内蔵するハードディスク（不図示）等の記録装置に記憶したり、HDMI端子１ｇに出力したりする録画機器である。よって、それぞれが放送信号を受信可能なテレビジョン受信機１とレコーダ１０１とが接続されて、放送信号受信システムが構成されている。
【００１９】
制御部２４は、リモコン４あるいは操作部２５に対するユーザの操作に応じて、上述したチューナ、復調器等の各種回路を動作させる処理及び制御を行う。制御部２４は、B-CASカード５の情報を読み取り、デジタル放送の番組の著作権保護や有料放送の視聴等に用いる。また、制御部２４は、LAN端子１ｄ、USB端子１ｅ及びi-LINK端子１ｆを介して、それぞれ接続されたサーバ装置、USBメモリ、デジタルカメラ等の外部機器とテレビジョン受信機１との間の画像情報の送受信を行う。
【００２０】
特に、制御部２４は、HDMI端子１ｇを介して、レコーダ１０１からの放送信号の入力と、レコーダ１０１との各種情報の送受信、及びレコーダ１０１への制御信号の送信を行うことができる。従って、テレビジョン受信機１は、HDMI端子１ｇを介して、レコーダ１０１との間で、一本のケーブルで映像信号、音声信号、データ信号及び制御信号を送受信できるので、テレビジョン受信機１は、レコーダ１０１における各種設定情報等を読み出したり、レコード１０１を起動したり、各チューナで受信したチャンネルの画像データを受信したりすることができる。
【００２１】
なお、後述するように、レコーダ１０１は、電源がオフの状態でも、スタンバイ状態であれば、HDMI端子１ｇを介して、テレビジョン受信機１と情報の送受信ができるように設定されている。特に、レコーダ１０１は、電源の状態の情報と、レコーダ１０１が選局可能なチャンネルの情報を、テレビジョン受信機１に送信できるように構成されている。
【００２２】
上述したように、テレビジョン受信機１の動作は、各種制御プログラムがROM２４に記憶されており、リモコン４からの操作信号に応じて、対応するプログラムがROM２４から読み出されて実行される。
【００２３】
なお、不揮発性メモリ２４ｄには、制御部２４が行う各種処理に用いられるパラメータ等が記憶される。
【００２４】
（動作）
以上の構成に係るテレビジョン受信機１の動作について説明する。  
本実施の形態では、放送信号受信装置であるテレビジョン受信機１は、３つのチューナを有するため、３つのチャンネルを選局可能である。例えば、２画面表示を行うモードにおいて、ユーザが、２画面においてそれぞれアナログ放送のチャンネルと地上波デジタル放送のチャンネルとを視聴しているとする。そして、アナログ放送を内蔵の記憶装置あるいは、外付けの別の機器に録画しているとする。このような状態において、ユーザが別のアナログ放送のチャンネルを選択して２画面の一方にその別のチャンネルの番組を表示させて視聴したいとする。以下説明を分かりやすくするために、現在視聴して録画しているアナログ放送のチャンネルを８チャンネルとし、ユーザが選択した別のアナログ放送のチャンネルを４チャンネルとした例を用いて、説明する。
【００２５】
このような場合に、従来であれば、現在視聴してかつ録画している８チャンネルとは別に、さらに別の４チャンネルを視聴したいとして、ユーザがリモコン４を操作して、その４チャンネルを選択したとしても、テレビジョン受信機１は、アナログチューナ１３は、８チャンネルを選局して既に録画用に使用しているので、４チャンネルを選局することができない。
【００２６】
本実施の形態に係るテレビジョン受信機１によれば、このような場合に、レコーダ１０１が４チャンネルを選局可能であるか否かを確認して、選局可能であれば、そのレコーダ１０１のチューナ（ここの例ではアナログチューナ１１３）により４チャンネルを選局して、放送信号を受信させる。テレビジョン受信機１は、映像表示部２３の表示を、外部入力に切り換えて、２画面の一方を、８チャンネルから４チャンネルの表示にすることができる。このとき、テレビジョン受信機１では、８チャンネルの録画は継続して行っていることになる。
【００２７】
以下、そのテレビジョン装置１の動作について説明する。制御部２４のCPU２４ａが、ROM２４ｂに記憶されたソフトウエアプログラムを実行することにより、以下に説明する処理が行われる。
【００２８】
図２は、制御部２４が行う処理の流れの例を示すフローチャートである。図２の処理は、リモコン４等においてユーザによるチャンネルの選択がされて、制御部２４がその選択に関わるコマンド信号（選局指示信号）を受信すると実行される。  
まず、CPU２４ａを含む制御部２４は、受信したコマンド信号により指示されたチャンネルを、テレビジョン受信機１の複数のチューナ（１１，１２，１３）のいずれかにより選局可能か否かを判断する（ステップS1）。
【００２９】
上述したように、例えば、アナログチューナ１３が８チャンネルを録画用に既に選択している場合は、４チャンネルを選局すると８チャンネルの録画が出来なくなるので、テレビジョン受信機１は、４チャンネルを選局できない。  
よって、このような場合、制御部２４は、指示されたチャンネルを選局できないとして、ステップS1でNOとなり、制御部２４は、レコーダ１０１に対して、ユーザにより指示されたチャンネルを選局可能か否かの確認を行う（ステップS2）。具体的には、制御部２４は、レコーダ１０１に対して、電源状態と動作状態を問い合わせる。
【００３０】
テレビジョン受信機１とレコーダ１０１とは、HDMIにより接続されているため、レコーダ１０１が、いわゆるスタンバイ状態であれば、電源がオフ状態であっても、テレビジョン受信機１とレコーダ１０１間で情報の送受信が可能である。よって、テレビジョン受信機１から、レコーダ１０１に対して、電源状態（電源がオン状態とオフ状態のいずれなのか）、及び、選局可能なチャンネルを確認することができる。
【００３１】
ステップS2では、電源状態と選局可能なチャンネルの情報が、レコーダ１０１から送信されるので、制御部２４は、これらの情報を取得することができる。
【００３２】
制御部２４は、これらの取得した情報に基づいて、レコーダ１０１が、ユーザの選択して指示したチャンネルを選局可能であるか否かを判断する（ステップS3）。取得した選局可能なチャンネルの情報の中に、ユーザの指示したチャンネルが含まれている場合、ステップS3でYESとなり、制御部２４は、取得した電源状態の情報に基づいて、レコーダ１０１の電源がオン状態であるか否かを判断する（ステップS4）。
【００３３】
レコーダ１０１の電源がオン状態であるときは、ステップS4でYESとなって、信号処理部２４は、映像表示部２３の画面の表示を外部入力に切り替え、かつレコーダ１０１に対して、ユーザにより指示されたチャンネルを選局するように指示する制御信号を出力する（ステップS5）。
【００３４】
レコーダ１０１の電源がオフ状態であるときは、ステップS4でNOとなって、信号処理部２４は、レコーダ１０１に対して、電源をオンにする制御信号を出力した（ステップS6）後に、ステップS5の処理を実行する。  
そして、制御部２４は、ユーザの選局操作により指示されたチャンネルの番組すなわちコンテンツを表示する処理を行う（ステップS7）。
【００３５】
なお、ステップS1において、ユーザにより指示されたチャンネルを、テレビジョン受信機１の複数のチューナ（１１，１２，１３）のいずれかにより選局可能であれば、処理は、ステップS7に移行する。
【００３６】
さらに、ステップS3において、レコーダ１０１もユーザの選択したチャンネルを選局できないと判断された場合は、処理は、エラーメッセージ（例えば、「選局できません」等のメッセージ）を表示した（ステップS8）後に、終了する。
【００３７】
以上のように、本実施の形態に係るテレビジョン受信機１によれば、ユーザの選択したチャンネルを自らが選局できない場合には、外部機器であるレコーダ１０１によりそのチャンネルが選局可能か否かを確認し、レコーダ１０１により選局可能であるときは、レコーダ１０１においてその選択されたチャンネルを選局するようにした。その結果、テレビジョン受信機１は、レコーダ１０１において選局して受信されたチャンネルの番組を表示させて、ユーザが視聴できるようにすることができる。
【００３８】
また、レコーダ１０１の電源がオフであっても、レコーダ１０１に選局動作をさせる場合に、テレビジョン受信機１は、レコーダ１０１の電源をオンする指示信号を出力して、レコーダ１０１をオンするので、ユーザは、レコーダ１０１の電源を予めオンにしておく必要もないので、ユーザにとって操作性もよく、かつレコーダ１０１の低消費電力化に繋がるものである。
【００３９】
なお、一旦オンにしたレコーダ１０１における選局動作が必要でなくなった場合は、制御部２４は、レコーダ１０１に対して電源をオフする指示信号を出力して、レコーダの電源をオフにするようにしてもよい。一旦オンにしたレコーダ１０１における選局動作が必要でなくなった場合は、例えば、ユーザがリモコン４で指示したチャンネルが、テレビジョン受信機１において選局可能となった場合、ユーザがリモコン４で別なチャンネルに変更して、その変更したチャンネルがテレビジョン受信機１において選局可能である場合、等である。よって、このように、一旦オンにしたレコーダ１０１を、自動的にオフにするので、ユーザにとって操作性もよく、かつレコーダ１０１の低消費電力化に繋がるものである。
【００４０】
なお、以上の例では、ユーザにより指示されたチャンネルを選局するチューナが、他のチャンネルを録画するために使用しているため、テレビジョン受信機１において、ユーザにより指示されたチャンネルを選局できないと判断している例で説明した。しかし、テレビジョン受信機１が指示されたチャンネルを選局できない場合には、テレビジョン受信機１に例えばBS/CSチューナが搭載されておらず、その搭載されていないチューナが選局するチャンネルが、ユーザにより指示された場合もある。そのような場合も、上述した例と同様に、テレビジョン受信機１において、外部機器１０１で受信したチャンネルの番組が試聴可能となる。
【００４１】
さらになお、ユーザにより指示されたチャンネルを選局できないと判断している場合として、ユーザの選局指示信号により指示されたチャンネルがテレビジョン受信機１において受信契約のされていないチャンネルである場合もある。すなわち、テレビジョン受信機１は、そのような受信契約をしていない受信機であるために、ユーザにより指示されたチャンネルを選局できないと判断される場合がある。そして、レコーダ１０１については、ユーザにより指示されたチャンネルについて受信契約がされている場合がある。
【００４２】
図３は、そのような受信契約対象外のチャンネルが指定された場合における制御部２４が行う処理の流れの例を示すフローチャートである。図３の処理も、リモコン４等においてユーザによるチャンネルの選択がされて、制御部２４がその選択に関わるコマンド信号を受信すると実行される。図３において、図２と同じ処理については、同じステップ番号を付けて説明は省略する。  
まず、制御部２４は、受信したコマンド信号により指示されたチャンネルを、テレビジョン受信機１が視聴可能か否かを判断する（ステップS11）。このときに、ユーザの指示したチャンネルがテレビジョン受信機１において受信契約のされていないチャンネルであれば、視聴可能でないと判断され、処理は、ステップS11においてNOとなり、ステップS2へ移行する。また、ユーザの指示したチャンネルがテレビジョン受信機１において受信契約のされているチャンネルであれば、視聴可能であると判断され、処理は、ステップS11においてYESとなり、処理は、ステップS7へ移行する。  
ステップS2移行の処理は、図２の場合と同様である。
【００４３】
上述したように、レコーダ１０１は、ユーザにより指示されたチャンネルについて受信契約がされている場合は、ステップS3でYESとなるので、ユーザは、レコーダ１０１によりそのチャンネルを選局して、視聴することができる。  
従って、本実施の形態に係るテレビジョン受信機１によれば、テレビジョン受信機１が指定されたチャンネルを選局できない、あるいは受信できない場合であっても、外部機器であるレコーダ１０１がそのチャンネルを選局可能である、あるいはそのチャンネルについて受信契約をしていれば、テレビジョン受信機１において、ユーザは、そのチャンネルの番組を視聴することができる。
【００４４】
（第２の実施の形態）
次に、本発明の第２の実施の形態について説明する。  
第２の実施の形態では、テレビジョン受信機１に、それぞれが放送信号を受信可能な複数のレコーダが接続されている。本実施の形態のテレビジョン受信機１は、その複数のレコーダの中で、ユーザの指示したチャンネルが選局可能なレコーダにそのチャンネルを選局させて、そのユーザの指示したチャンネルの番組を視聴可能にするものである。
【００４５】
図４は、第２の実施の形態に係る受信システムの構成を説明するための図である。図３において、図１と同じ構成要素については同一の符号を付し、説明は省略する。図４において、図１と異なる点は、テレビジョン受信機１は、複数の（ここでは３つの）HDMI端子１ｇA、１ｇB、１ｇCと、これらに対応するHDMI  I/F３０A、３０B、３０Cを有している点である。
【００４６】
複数のHDMI端子１ｇA、１ｇB、１ｇCのそれぞれには、それぞれが放送信号を受信可能なレコーダ１０１A、１０１B、１０１Cが接続されている。
【００４７】
そして、ユーザは、図２或いは図３において説明したような、ユーザの指示したチャンネルが選局可能か否かを判断する対象とするレコーダを、３つのレコーダ１０１A、１０１B、１０１Cの中から指定することができる。
【００４８】
図５は、ユーザが、映像表示部２３の画面上で、選局可能か否かを判断する対象のレコーダを設定するための設定画面の例を示す図である。図５の画面２０１は、ユーザがリモコン４等を用いて、所定の操作をすることにより、映像表示部２３の画面上に表示される。所定の操作とは、例えば、メニュー画面から所定の画面（例えば「連動選局機器」画面）を呼び出す操作である。
【００４９】
画面２０１は、選局可能かを判断対象のレコーダを指定あるいは設定するためのポップアップウインドウ２０２を含む。ポップアップウインドウ２０２には、「連動選局する機器を選択して下さい」という設定指示表示部２０３と、３つのレコーダに対応する対象機器を選択するための対象機器選択部２０３とが設けられている。ユーザは、画面２０２中のカーソル等を移動させて「決定」ボタンを選択することによって、テレビジョン受信機１に対するチャンネル選局に連動するレコーダを選択することができる。
【００５０】
図６は、ユーザが、選択した結果、１つのレコーダが選択された状態を示す画面を説明するための図である。ユーザがレコーダを選択すると、その選択された状態を示す選択状態表示部２０４が表示される。選択状態表示部２０４は、選択されたレコーダを示す場所に対応して表示され、かつ選択されたことを示す文字（図５では「連動選局」という文字）を含む。図６では、外部機器A（図４におけるレコーダ１０１A）が選択されて、外部機器Aを示す表示部の近傍に「連動選局」の文字が表示されている。従って、選択状態表示部２０４によって、ユーザは、選択したレコーダを確認することができる。
【００５１】
また、ユーザは、この画面２０２を利用して、チャンネル選局に連動するレコーダを変更することもできる。変更されると、選択状態表示部２０４は、変更されて選択された選択されたレコーダを示す場所に対応して表示される。
【００５２】
以上のように、テレビジョン受信機１で選局できないチャンネルがユーザによって指示された場合に、接続された複数のレコーダの中から選択して設定したレコーダに、ユーザによって指示されたチャンネルを選局可能であるかの確認を行い、選局可能であれば、ユーザは、そのレコーダで受信した放送信号を、テレビジョン受信機１で視聴することができる。
【００５３】
なお、第２の実施の形態の変形例として、複数のレコーダ１０１A、１０１B、１０１Cを所定の順番に、選局可能か否かを確認して、選局可能なレコーダにおいて、ユーザの指示したチャンネルを選局するようにしてもよい。
【００５４】
図７は、複数のレコーダに選局可能かを確認する場合における制御部２４が行う処理の流れの例を示すフローチャートである。図２と同じ処理については、同じ符号を付して説明は省略する。
【００５５】
図７に示すように、ステップS3において、ある外部機器であるレコーダについて、ユーザの指示したチャンネルが選局可能でないと判断された場合（すなわちステップS3でNOの場合）、制御部２４は、他のレコーダについても選局可能かを確認するために、その選局可能性の確認をする外部機器があるか否かを判断する（ステップS21）。なお、ここでは、ステップS2の確認処理は、３つのレコーダ１０１A、１０１B、１０１Cについて予め決められた順番で行われるものとする。
【００５６】
例えば、３つのレコーダの中の最初のレコーダについて選局可能性の確認をした結果、選局できないと判断されたときは、残りの２つについて未だその選局可能性の確認をしていないので、他にも確認するレコーダがあるかのステップS21でYESとなり、処理は、ステップS2へ戻る。ステップS2に戻って、２番目に選択されたレコーダについて、ステップS2とS3の処理を行う。
【００５７】
２番目のレコーダについて選局可能性の確認をした結果、選局できないと判断されたときは、残りの１つについて未だその選局可能性の確認をしていないので、他にも確認するレコーダがあるかのステップS21でYESとなり、処理は、ステップS2へ戻る。ステップS2に戻って、３番目に選択されたレコーダについて、ステップS2とS3の処理を行う。
【００５８】
上述した１から３番目のレコーダのいずれかについて、ユーザの指示したチャンネルが選局可能であると判断された場合（すなわちステップS3でYESの場合）は、制御部２４は、上述したようにステップS4からS7の処理を実行する。よって、テレビジョン受信機１は、複数のレコーダの中から、指示されたチャンネルが選局可能であるか否かを判断して、選局可能なレコーダを自動的に検出して、指示されたチャンネルを選局させる。
【００５９】
また、全てのレコーダについてユーザの指示したチャンネルが選局可能でないと判断されると、ステップS21においてNOとなり、処理は、ステップS8に移行して、制御部２４は、エラーメッセージを表示する処理を行う。
【００６０】
以上のように、複数の外部機器としてのレコーダが接続されている場合であって、テレビジョン受信機１おいてユーザの指示したチャンネルが選局可能でない場合に、予め設定して選択したレコーダに対して、あるいは所定の順序で各レコーダに対して、ユーザの指示したチャンネルが選局可能であるかの確認を行い、選局可能である場合は、選局可能なレコーダに選局動作をさせる。そして、テレビジョン受信機１は、レコーダにおいて選局されて放送信号を受信させて、レコーダから放送信号を入力して、映像表示部２３に、そのチャンネルの番組を表示させることができるので、ユーザは、テレビジョン受信機１において選局できないチャンネルの番組を視聴することができる。
【００６１】
第２の実施の形態に係るテレビジョン受信機においても、選局可能なレコーダの電源がオフであっても、レコーダに選局動作をさせる場合に、テレビジョン受信機１は、そのレコーダの電源をオンする指示信号を出力して、レコーダをオンするので、ユーザは、レコーダの電源を予めオンにしておく必要もないので、ユーザにとって操作性もよく、かつレコーダの低消費電力化に繋がるものである。
【００６２】
さらに、第１の実施の形態に係るテレビジョン受信機と同様に、一旦オンにしたレコーダにおける選局動作が必要でなくなった場合は、制御部２４は、そのレコーダに対して電源をオフする指示信号を出力するようにしてもよい。
【００６３】
以上のように、上述した２つの実施の形態に係るテレビジョン受信機によれば、外部機器であるレコーダと連動して、選択されたチャンネルに対する選局動作行うことができるので、ユーザは、視聴可能な機器が、テレビジョン受信機なのか、レコーダなのかを意識することなく、テレビジョン受信機に対するチャンネル選択操作のみで、所望の番組を試聴することができる。
【００６４】
なお、以上の２つの実施の形態では、選局可能なチャンネルの情報が、テレビジョン受信機１とレコーダ１０１の間で送受信されていたが、受信不可能なチャンネルの情報を送受信することによって、受信可能なチャンネルの確認をするようにしてもよい。
【００６５】
さらになお、上述した例では、外部機器の電源がスタンバイ状態において、テレビジョン受信機がレコーダから各種情報を取得していたが、電源がオフの状態で情報の送受信ができるスタンバイ状態等が存在しない外部機器の場合は、電源をオン状態にして情報の送受院ができる状態にしておけば、放送信号受信装置は、上述した２つの実施の形態のステップS2における処理を行うことができる。その場合は、ステップS4,S6の処理は不要となる。
【００６６】
また、上述した２つの実施の形態では、ユーザからの選局指示信号を受信する放送信号受信装置の例としてテレビジョン受信機を説明したが、放送信号受信装置には、放送信号を受信可能な装置であれば、レコーダ、セットトップボックス等も含まれる。
【００６７】
さらにまた、上述した２つの実施の形態では、HDMI端子に接続された外部機器との間で、各種情報、制御信号等の送受信が行われているが、外部機器は、通信I/F２７、USB  I/F２８、i-LINK  I/F２９等の他の端子に接続された機器でもよい。
【００６８】
本発明は、上述した実施の形態に限定されるものではなく、本発明の要旨を変えない範囲において、種々の変更、改変等が可能である。
【図面の簡単な説明】
【００６９】
【図１】本発明の実施の形態に係わるテレビジョン受信機の構成を示す構成図である。
【図２】本発明の実施の形態に係わる制御部が行う処理の流れの例を示すフローチャートである。
【図３】本発明の実施の形態に係わる、受信契約対象外のチャンネルが指定された場合における制御部が行う処理の流れの例を示すフローチャートである。
【図４】本発明の第２の実施の形態に係る受信システムの構成を説明するための図である。
【図５】本発明の第２の実施の形態に係る、選局可能か否かを判断する対象のレコーダを設定するための設定画面の例を示す図である。
【図６】本発明の第２の実施の形態に係る、１つのレコーダが選択された状態を示す画面を説明するための図である。
【図７】本発明の第２の実施の形態に係る、複数のレコーダに選局可能かを確認する場合における制御部が行う処理の流れの例を示すフローチャートである。
【符号の説明】
【００７０】
１  テレビジョン受信機、１ａ〜１ｉ  端子、２、３  アンテナ、２４  制御部、１０１，１０１Ａ，１０１Ｂ，１０１Ｃ  レコーダ
【図１】
2008166869.tif 000003
【図２】
2008166869.tif 000004
【図３】
2008166869.tif 000005
【図４】
2008166869.tif 000006
【図５】
2008166869.tif 000007
【図６】
2008166869.tif 000008
【図７】
2008166869.tif 000009